(57)【特許請求の範囲】
【請求項１】
シリンダ内のピストンを上下動させて液体の吸入吐出を行う液体吸入吐出機構を収容し、その先端部に液体吸入吐出機構と挿通するチップが着脱可能に取り付けられ、該チップ取り付け側を下方とする、縦長筒状の本体ケースと、
前記液体吸入吐出機構を動作させる操作スイッチと、
前記操作スイッチの操作時に把持される前記本体ケースのハンドグリップ部と、
吸入・吐出動作の設定が行える表示・操作部と、
前記チップを外すためのリリーススイッチと、
操作時の支持補助及び非操作時のストッパーとなるフィンガーレストと、
を備える電動ピペットで、
これら構成要素でデザインされた前記電動ピペットの外観形状の、前面、後面、左側面、右側面、上面に対して、各面において、突出した２以上の部位点を結んだラインを引き、この前面ライン、後面ライン、左側面ライン、右側面ライン、上面ラインのうち、少なくとも一のラインの、少なくとも一の頂点に、衝撃吸収材が設けられることを特徴とする電動ピペット。
【請求項２】
前記表示・操作部は、前記本体ケースの基端部側にデザインされ、前記電動ピペットの上面に、衝撃吸収材が設けられることを特徴とする請求項１に記載の電動ピペット。
【請求項３】
前記ハンドグリップ部の下端部には、該ハンドグリップ下端部の外周に、衝撃吸収材が設けられることを特徴とする請求項１又は２に記載の電動ピペット。
【請求項４】
前記表示・操作部がデザインされた面を前記電動ピペットの前面とし、前記リリーススイッチは該ピペット前面にデザインされ、該リリーススイッチの上面に、衝撃吸収材が設けられることを特徴とする請求項１〜３のいずれかに記載の電動ピペット。
【請求項５】
前記表示・操作部がデザインされた面を前記電動ピペットの前面とし、前記フィンガーレストは該ピペット後面にデザインされ、該フィンガーレストの下面に、衝撃吸収材が設けられることを特徴とする請求項１〜４のいずれかに記載の電動ピペット。
【請求項６】
前記電動ピペットの左右側面には、前記本体ケース内に備えられた蓄電池と電気的に導通する突状のチャージポイントが設けられ、
本体ケース左右側面には、該チャージポイントよりも左右方向に凸となる衝撃吸収材が設けられることを特徴とする請求項３〜５のいずれかに記載の電動ピペット。
【発明の詳細な説明】
【技術分野】
【０００１】
本発明は、手持ちにより操作されるマイクロピペットに関し、特に、電動操作式のマイクロピペットに関する。
【背景技術】
【０００２】
電動操作式のマイクロピペット（以下、電動ピペットと称す）は、例えば特許文献１に示されるように、縦方向に長い筒状の本体ケース内に、モータと、ピストンが挿入されたシリンダを備えており、本体ケースのハンドグリップ部を握りながら、本体ケースに設けられた操作スイッチを操作することにより、モータの駆動に起因してシリンダ内のピストンが上下動し、シリンダ内を負加圧することで、本体ケース先端部に装着されるチップに、予め設定した容量の液体を吸入・吐出するようになっている。【０００３】
この吸入・吐出作業を行うために、本体ケースの基端部側には、表示・操作部が設けられ、容量のパラメータ設定や、装置の操作モード設定等が可能となっており、本体ケース内には、この表示部・操作部のある基端部に、各設定に応じてモータを電気的に制御する電気ボード、該電気ボードやモータ等を駆動するための電源電池が配置されている。さらに、本体ケースには、前記チップを外すためのリリーススイッチと、操作時の支持補助及び非操作時のストッパーとなるフィンガーレストとが設けられている。
【先行技術文献】
【特許文献】
【０００４】
【特許文献１】特開２００８−３９７８５号公報
【発明の概要】
【発明が解決しようとする課題】
【０００５】
このような電動ピペットを使用するピペッターは、長時間、あらゆる場面でピペッティング作業を繰り返しているため、作業途中で電動ピペットを床に落下させることが日常的に起きており、また手持ちできる程度に大きさも小さい電動ピペットは、何かのはずみで作業テーブルから落下することも多い。しかし、特許文献１のような従来の電動ピペットには、落下による衝撃に対する機器の備えがなされていないという問題があった。【０００６】
また、さらに深刻な問題として、落下による破損がケースの割れや欠け、動作不能等、外観上に致命的なものであれば、使用が不可能となったことが明らかとなるが、外観上に顕れず、一見操作が続行できるような内部的な破損であった場合には、作業精度が確保されているかの判断が難しい。この場合は、ピペットの吐出性能検査を行うことで判断がつくが、この性能検査には専用の検査機器と時間、費用が必要となるため、極力回避したいものである。【０００７】
本発明は、従来技術の問題点に基づいて為されたもので、その目的は、電動ピペットの落下に対する耐衝撃性を上げ、機器の外観破損、動作機能の被害を低減し、ひいては機器の吐出性能の維持も確保する電動ピペットを提供するものである。
【課題を解決するための手段】
【０００８】
前記目的を達成するために、請求項１に係る電動ピペットは、シリンダ内のピストンを上下動させて液体の吸入吐出を行う液体吸入吐出機構を収容し、その先端部に液体吸入吐出機構と挿通するチップが着脱可能に取り付けられ、該チップ取り付け側を下方とする、縦長筒状の本体ケースと、前記液体吸入吐出機構を動作させる操作スイッチと、前記操作スイッチの操作時に把持される前記本体ケースのハンドグリップ部と、吸入・吐出動作の設定が行える表示・操作部と、前記チップを外すためのリリーススイッチと、操作時の支持補助及び非操作時のストッパーとなるフィンガーレストと、を備え、これら構成要素でデザインされた前記電動ピペットの外観形状の、前面、後面、左側面、右側面、上面に対して、各面において、突出した２以上の部位点を結んだラインを引き、この前面ライン、後面ライン、左側面ライン、右側面ライン、上面ラインのうち、少なくとも一のラインの、少なくとも一の頂点に、衝撃吸収材が設けられることを特徴とする。【０００９】
請求項２に係る電動ピペットは、請求項１に記載の電動ピペットにおいて、前記表示・操作部は、前記本体ケースの基端部側にデザインされ、前記電動ピペットの上面に、衝撃吸収材が設けられることを特徴とする。【００１０】
請求項３に係る電動ピペットは、請求項１又は２に記載の電動ピペットにおいて、前記ハンドグリップ部の下端部には、該ハンドグリップ下端部の外周に、衝撃吸収材が設けられることを特徴とする。【００１１】
請求項４に係る電動ピペットは、請求項１〜３のいずれかに記載の電動ピペットにおいて、前記表示・操作部がデザインされた面を前記電動ピペットの前面とし、前記リリーススイッチは該ピペット前面にデザインされ、該リリーススイッチの上面に、衝撃吸収材が設けられることを特徴とする。【００１２】
請求項５に係る電動ピペットは、請求項１〜４のいずれかに記載の電動ピペットにおいて、前記表示・操作部がデザインされた面を前記電動ピペットの前面とし、前記フィンガーレストは該ピペット後面にデザインされ、該フィンガーレストの下面に、衝撃吸収材が設けられることを特徴とする。【００１３】
請求項６に係る電動ピペットは、請求項３〜５のいずれかに記載の電動ピペットにおいて、前記電動ピペットの左右側面には、前記本体ケース内に備えられた蓄電池と電気的に導通する突状のチャージポイントが設けられ、本体ケース左右側面には、該チャージポイントよりも左右方向に凸となる衝撃吸収材が設けられることを特徴とする。
【発明の効果】
【００１４】
本発明によれば、電動ピペットの外観形状で凸となる各部分に、即ち、電動ピペットが落下したときに床に接触すると予想される少なくとも一の落下予測ライン上の、少なくとも一の頂点に、衝撃吸収材を配置したことにより、製品落下に対する衝撃を低減するので、電動ピペットの外観破損、動作機能の被害が低減される。さらに、ピペット内のモータやこれらを制御する電気ボード等、衝撃により破損しやすいユニット類も保護されるため、ひいては機器の吐出性能の維持も確保でき、機器としての信頼性も向上させることができる。【００１５】
さらに、電動ピペットの本体ケース上方に、重量部品が配置されることを考慮して、電動ピペットの上面には、頂点となる部位だけでなく全域に衝撃吸収材を設けたことで、耐衝撃性がより向上する。【００１６】
また、電動ピペットの下方（先端部）は、着脱可能で柔らかなチップが装着されるため、このチップが外れた場合に保護されるべきハンドグリップ部の下端部全域に衝撃吸収材を設けることで、耐衝撃性がさらに向上する。【００１７】
また、リリーススイッチとフィンガーレストには、前面ライン及び後面ラインの頂点となる部位に加え、ピペッターの指が当接する操作スイッチ上面やフィンガーレスト下面にも衝撃吸収材を配置したことで、指の滑り止め効果及びフィット感による操作性を向上することができる。【００１８】
また、電動ピペットの電源に蓄電池を採用した場合に、外部チャージ装置と該蓄電池とを導通させるためのチャージポイントが必要となるが、このチャージポイントを設けた面に、チャージポイントよりも高さのある衝撃吸収材を設けたことで、チャージポイントの破損が防げ、耐衝撃性がいっそう向上する。
【図面の簡単な説明】
【００１９】
【図１】本発明の一実施例を示す電動ピペットの正面図
【図２】同電動ピペットの右側面図
【図３】同電動ピペットの背面図
【図４】同電動ピペットの平面図
【発明を実施するための実施の形態】
【００２０】
次に、本願発明の好適な実施の形態を、図面を参照しながら説明する。図１は本発明の一実施例を示す電動ピペットの正面図、図２は同電動ピペットの右側面図、図３は同電動ピペットの背面図、図４は同電動ピペットの平面図である。なお、図面における符号Ｕ，Ｄはピペット上下方向を、符号Ｌ，Ｒはピペット左右方向を、符号Ｆ，Ｂはピペット前後方向を示す。
【００２１】
符号１００は、本実施例に係る電動ピペットであって、その全長を約２８０ｍｍ程度とする手持ちにより操作されるマイクロピペットである。符号１は、縦方向に長い円筒状の本体ケース１であって、前ケースと後ケースを嵌合させて画成された該ケースの内部には、液体吸入吐出機構４が収容されている。液体吸入吐出機構４は、液体の吸入吐出用のシリンダ２と、シリンダ２内を上下方向に往復移動可能に挿入されたピストン３と、ピストン３に連結され、ピストン３を上下方向に移動させるためのボールネジ機構５と、ボールネジ機構５の上方に配置され、ボールネジを正逆いずれの方向にも回転駆動させるモータ６と、を備えている。
【００２２】
符号７は、チップホルダーであって、本体ケース１の一部であり、本体ケース１の下方に装着脱可能に係合するようになっている。組み立て時には、下方に向けて径が細く形成されるシリンダ２の下部側が収容される。チップホルダー７の下端部には、シリンダ２の下端部と挿通するように装着脱可能に取り付けられるチップ８（図１に破線にて図示）が装備される。このチップ８が装着される側、即ち本体ケース１の下方向を本体ケース１の先端部１ｔ、本体ケース１の上方向を本体ケース１の基端部１ｂとも呼ぶこととする。
【００２３】
電動ピペット１００前面（正面）１００Ｆの上方には、液体の吸入・吐出動作の設定が行える液晶パネルを利用した表示・操作部９が設けられており、吐出容量のパラメータ設定や、装置の操作モード設定等が可能となっている。本体ケース１内には、表示・操作部９の裏面に、表示・操作部９での各設定に応じてモータ６を電気的に制御する電気ボード１０と、モータ６の上方位置に、電気ボード１０やモータ６を駆動するための電源１１が収容されている。
【００２４】
表示・操作部９の下方には、チップ８を取り外すためのリリーススイッチ１２が設けられている。このピペット前面１００Ｆに設けられたリリーススイッチ１２は、チップホルダー７と機構的に連結しており、リリーススイッチ１２を下方向に押印することで、チップ８が押し下げられ、チップホルダー７から外れるようになっている。リリーススイッチ１２は、ユーザが指によってこの押し下げ動作をしやすいよう、電動ピペット１００の前方に突出するボタン形状に形成されている。
【００２５】
電動ピペット１００の後面（背面）１００Ｂの略中央部には、液体吸入吐出機構４を動作させるための操作スイッチ１４が設けられている。操作スイッチ１４をケース内方向に押印すると、モータ６が駆動し、ボールネジ５が回動して、シリンダ２内のピストン３が上下動し、シリンダ２内を負加圧することで、表示・操作部９で予め設定した容量の液体がチップ８にて吸入・吐出されるようになっている。
【００２６】
ユーザは電動ピペット１００の操作時、主に、親指でリリーススイッチ１２を操作し、人差し指で操作スイッチ１４を操作するため、本体ケース１のうち、表示・操作部９の下方で、リリーススイッチ１２及び操作スイッチ１４の下方域が、操作時に把持される部分となるハンドグリップ部１５である。
【００２７】
ピペット後面１００Ｂには、操作スイッチ１４の下方に、操作時の支持補助及び非操作時のストッパーとなるフィンガーレスト１６が設けられている。フィンガーレスト１６は、ユーザがハンドグリップ部１５を把持した際に、操作スイッチ１４を操作する指以外の他の指がかかりやすいよう、電動ピペット１００の後方側に突出し、かつ下方向に屈曲したフック形状に形成されている。
【００２８】
以上までの構成は、従来の電動ピペットにも見られるデザインであるが、このように、電動ピペットは、一般の計測機器のような箱型形状とは異なり、細長く、大きさも手持ちできる程度に小さく、また親指や人差し指での操作を考慮した凹凸があり、衝撃吸収構造の設計が難しい。
【００２９】
そこで、本実施例の電動ピペット１００の外観形状に顕れる構成要素を、本体ケース１と、操作スイッチ１４と、ハンドグリップ部１５と、表示・操作部９と、リリーススイッチ１２と、フィンガーレスト１６と、チャージポイント１７Ｌ，１７Ｒ（後述）として、これらの構成要素でデザインされた本実施例の電動ピペット１００の、前面１００Ｆ、後面１００Ｂ、左側面１００Ｌ、右側面１００Ｒ、上面１００Ｕに対して、各面において、突出した２以上の部位点を結んだラインを引く。そして、この各ラインを、落下したときに床に接触すると予想されるラインとする。
【００３０】
ここで、電動ピペット１００の下面１００Ｄは、チップホルダー７となるが、この部分は細長いため、落下時に床と接触しにくい。加えてチップホルダー７はフッ素樹脂等で形成することが多く弾性があり、かつ軽いため、電動ピペット１００が下面１００Ｄ側から落下することは稀であり、破損の確率は低いと判断される。よって、本願では、落下予測ラインを、前面ラインＬＦ、後面ラインＬＢ、左側面ラインＬＬ、右側面ラインＬＲ、上面ラインＬＵと設定し、このうち少なくとも一のラインの、少なくとも一の頂点に、衝撃吸収材を設けることとする。以下、本実施例の電動ピペット１００を例に、各ラインの設定方法及び衝撃吸収材を設ける好適な位置について詳述する。なお、図１〜４において、衝撃吸収材は着色によって示されている。
【００３１】
まず、本実施例の電動ピペット１００は、本体ケース１の上方に、表示・操作部９，電気ボード１０，電源１１を効率良く収納できるよう、本体ケース基端部１ｂ側が矩形に形成されているため、電動ピペット１００の上面１００Ｕの左端部１Ｕｌ及び右端部１Ｕｒを突出した部位点として、上面ラインＬＵを引いた。そして、上面ラインＬＵの頂点であるピペット上面１００Ｕの左端部１Ｕｌ，右端部１Ｕｒに、衝撃吸収材を設けるのが好ましい。
【００３２】
前面ラインＬＦは、本体ケース基端部１ｂとリリーススイッチ１２とを突出した部位点として、これらを結んだ第１の前面ラインＬＦ１と、リリーススイッチ１２とハンドグリップ部１５の下端部１５ｄとを突出した部位点として、これらを結んだ第２の前面ラインＬＦ２と、を引いた。そして、第１の前面ラインＬＦ１の頂点であるピペット上面１００Ｕの前端部１Ｕｆと、第２の前面ラインＬＦ２の頂点であるハンドグリップ下端部１５ｄの前端部１５ｄｆと、第１の前面ラインＬＦ１と第２の前面ラインＬＦ２とが交差する頂点であるリリーススイッチ１２の頂部１２ｔに、衝撃吸収材を設けるのが好ましい。
【００３３】
後面ラインＬＢは、本体ケース基端部１ｂとフィンガーレスト１６とを突出した部位点として、これらを結んだ第１の後面ラインＬＢ１と、フィンガーレスト１６とハンドグリップ下端部１５ｄとを突出した部位点として、これらを結んだ第２の後面ラインＬＢ２と、を引いた。そして、第１の後面ラインＬＢ１の頂点であるピペット上面１００Ｕの後端部１Ｕｂと、第１の後面ラインＬＢ１と第２の後面ラインＬＢ２とが交差する頂点であるフィンガーレスト１６の頂部１６ｔに、衝撃吸収材を設けるのが好ましい。ここで、第２の前面ラインＬＦ２の頂点であるチップホルダー７の先端部７ｂに対する衝撃吸収材は、上述の理由からチップホルダー７の保護は省いてよいため、設けなくてもよい。
【００３４】
次に、右側面ラインＬＲ，左側面ラインＬＬであるが、ここで本実施例の電動ピペット１００は、ピペットの電源１１に蓄電池を採用しており、該蓄電池を外部チャージ装置と電気的に導通させるために、ピペット右側面１００Ｒ及び左側面１００Ｌに、蓄電池１１と電気的に導通する突状のチャージポイント１７Ｌ，１７Ｒが設けられている。このため、このままでは、左右チャージポイント１７Ｌ，１７Ｒが、ピペット左右側面１００Ｌ，１００Ｒにおいて突出した部位点に該当してしまう。このため、電動ピペット１００（本体ケース１）の右側面１００Ｒ及び左側面１００Ｌには、左右チャージポイント１７Ｌ，１７Ｒの周辺位置に、左右チャージポイント１７Ｌ，１７Ｒよりも左右方向に高さの高い衝撃吸収材を設けるのが好ましい。これにより、突出した部位点が左右チャージポイント１７Ｌ，１７Ｒから衝撃吸収材に移り、右側面ラインＬＲ，左側面ラインＬＬが左右チャージポイント１７Ｌ，１７Ｒと接触することは無い。
【００３５】
よって、右側面ラインＬＲは、本体ケース基端部１ｂと前述の衝撃吸収材とを突出した部位点とし、これらを結んだ第１の右側面ラインＬＲ１と、前述の衝撃吸収材とハンドグリップ下端部１５ｄとを突出した部位点とし、これらを結んだ第２の右側面ラインＬＲ２と、を引いた。そして、第１の右側面ラインＬＲ１の頂点であるピペット上面１００Ｕの右端部１Ｕｒと、第２の右側面ラインＬＲ２の頂点であるハンドグリップ下端部１５ｄの右側面部１５ｄｒとに、衝撃吸収材を設けるのが好ましい。
【００３６】
左側面ラインＬＬは、本実施例の電動ピペット１００が左右対称構造であるため、右側面ラインＬＲと同様であって、本体ケース基端部１ｂと前述の衝撃吸収材とを突出した部位点とし、これらを結んだ第１の左側面ラインＬＬ１と、前述の衝撃吸収材とハンドグリップ下端部１５ｄとを突出した部位点とし、これらを結んだ第２の右側面ラインＬＬ２と、を引いた。そして、第１の左側面ラインＬＬ１の頂点であるピペット上面１００Ｕの左端部１Ｕｌと、第２の左側面ラインＬＬ２の頂点であるハンドグリップ下端部１５ｄの左側面部１５ｄｌとに、衝撃吸収材を設けるのが好ましい。
【００３７】
さらに、本体ケース基端部１ｂ側は、表示・操作部９、電気ボード１０及び蓄電池１１が配置されており、最も重量のある部位となっているため、落下すると、床と接触する可能性が高く、また電気的に接続されている部品が多いことから、最も保護されるべき部位となる。よって、ピペット上面１００Ｕは、上述の頂点１Ｕｆ，１Ｕｂ，１Ｕｌ，１Ｕｒだけでなく、全域に衝撃吸収材を設けるのが好ましい。
【００３８】
また、本実施例の電動ピペット１００の下方（本体ケース先端部１ｔ）は、着脱可能で柔らかなチップ８が装着されるため、このチップ８が外れた場合に床と接触する可能性が高い部位を保護するべきであるが、チップホルダー７は上述の理由から保護を省いてもよい。よって、ハンドグリップ下端部１５ｄが保護すべき部位となるので、ハンドグリップ下端部１５ｄは、上述の頂点１５Ｕｆ，１Ｕｌ，１Ｕｒだけでなく、全域（外周全域）に衝撃吸収材を設けるのが好ましい。
【００３９】
また、ピペッターの親指がその上面に当接するリリーススイッチ１２には、前面ラインＬＦの頂点に当たる頂部１２ｔに加え、リリーススイッチ上面１２ｕにも衝撃吸収材を設けるのが好ましい。
【００４０】
また、ピペッターの指がその下面に当接するフィンガーレスト１６には、後面ラインＬＢの頂点にあたる頂部１６ｔに加え、フィンガーレスト下面１６ｄにも衝撃吸収材を設けるのが好ましい。
【００４１】
以上の衝撃吸収材を設けるに好適な位置を鑑みて、本実施例の電動ピペット１００には、ピペット上面１００Ｕの全面に衝撃吸収材２０１が、ハンドグリップ下端部１５ｄの外周に衝撃吸収材２０２が、ピペット左右側面１００Ｌ，１００Ｒに左右チャージポイント１７Ｌ，１７Ｒ用の衝撃吸収材２０３，２０４が、リリーススイッチ頂部１２ｔ及びリリーススイッチ上面１２ｕに衝撃吸収材２０５が、フィンガーレスト頂部１６ｔ及びフィンガーレスト下面１６ｄに衝撃吸収材２０６が、設けられている。
【００４２】
次に、衝撃吸収材２０１〜２０６の素材は、ソフト且つ適度な弾性を持った合成樹脂が好ましく、例えばシリコーン樹脂、フッ素系ゴム、ウレタン樹脂等が好適である。
【００４３】
次に、衝撃吸収材２０１〜２０６の設け方（本体ケース１への装着手段）は、上述の位置に対し、フッ素樹脂等の樹脂材からなる本体ケース１と一体成形、或いは本体ケース１へのはめ込み，貼り付け等、種々の手段が考えられる。その一例を、本実施例の電動ピペット１００の構成で説明する。
【００４４】
ピペット上面１００Ｕに設ける衝撃吸収材２０１は、上面１００Ｕ全面及び本体ケース基端部１ｂの側面（外周）を覆うカバー形状に形成されるとともに、衝撃吸収材２０１裏面に形成された係合ボスを、本体ケース１の上面に形成された係合穴に凹凸係合させ、はめ込むことによって装着されている。
【００４５】
ピペット左側面１００Ｌ，右側面１００Ｒに設ける衝撃吸収材２０３，２０４は、左右チャージポイント１７Ｌ，１７Ｒの高さよりもその半径を大とした半球形状に形成されるとともに、左右チャージポイント１７Ｌ，１７Ｒの直上位置に、貼り付けることによって装着されている。
【００４６】
ハンドグリップ下端部１５ｄに設ける衝撃吸収材２０２は、前面ラインＬＦ，左側面ラインＬＬ，右側面ラインＬＲがチップホルダー７に接触することのないよう、裾広がりした円周形状に形成されるとともに、衝撃吸収材２０２に周設された上方開口する中空部を、ハンドグリップ下端部１５ｄに下方から押し込み、該中空部に周設された係合凸部を、ハンドグリップ下端部１５ｄに周設された係合凹部に凹凸係合させ、はめ込むことによって装着されている。
【００４７】
リリーススイッチ１２に設けられる衝撃吸収材２０５は、その縦断面を略直角三角形状とし、その鋭角部に下垂れ部２０５ｔが形成されており、該下垂れ部２０５ｔがリリーススイッチ頂部１２ｔの保護を、その斜辺部２０５ｕがリリーススイッチ上面１２ｕの保護を兼ねる一体部品として形成されている（図２参照）。そして、衝撃吸収材２０５の裏面に形成された係合ボスを、リリーススイッチ１２に形成された係合孔に対し、衝撃吸収材２０５を上方から押し込むことで、両者を凹凸係合させ、はめ込むことによって装着されている。
【００４８】
フィンガーレスト１６に設けられる衝撃吸収材２０６は、フィンガーレスト１６の形状に倣う円弧形状に形成されており、且つその一端部にフィンガーレスト頂部１６ｔの保護を兼ねる第１の係合ボス２０６１と、他端部に第２の係合ボス２０６２とが形成され、フィンガーレスト頂部１６ｔとフィンガーレスト下面１６ｄの保護を兼ねる一体部品として形成されている（図２参照）。そして、衝撃吸収材２０６の第１及び第２の係合ボス２０６１，２０６２を、フィンガーレスト１６に形成された第１及び第２の係合孔に対し、衝撃吸収材２０６を下方から押し込むことで、両者を凹凸係合させ、はめ込むことによって装着されている。
【００４９】
なお、衝撃吸収材２０５，２０６は、一体部品ではなくそれぞれの保護箇所に対して別体として設けても勿論良い。
【００５０】
以上により、本実施例によれば、電動ピペット１００の外観形状で凸となる各部分に、即ち、電動ピペット１００が落下したときに床に接触すると予想される落下予測ライン（上面ラインＬＵ，前面ラインＬＦ，後面ラインＬＢ，左側面ラインＬＬ，右側面ラインＬＲ）上の頂点（１Ｕｌ，１Ｕｒ，１Ｕｆ，１Ｕｂ，１２ｔ，１５ｄｆ，１５ｄｌ，１５ｄｒ，１６ｔ）に、衝撃吸収材２０１〜２０６を配置したことにより、製品落下に対する衝撃を低減するので、電動ピペット１００の外観破損、動作機能の被害が低減されている。
【００５１】
さらに、最も保護されるべき部位となるピペット上面１００Ｕと、チップ８が外れた場合に保護されるべきであるハンドグリップ下端部１５ｄには、全域（外周全域）に衝撃吸収材２０１，２０２を設けたことで、耐衝撃性がより向上されている。
【００５２】
また、破損を防ぐ必要のあるチャージポイント１７Ｌ，１７Ｒに対しては、このチャージポイント１７Ｌ，１７Ｒを設けたピペット左側面１００Ｌ，右側面１００Ｒに、チャージポイント１７Ｌ，１７Ｒよりも高さの高い衝撃吸収材２０３，２０４を設けたことで、チャージポイント１７Ｌ，１７Ｒの破損が防げ、耐衝撃性がいっそう向上されている。
【００５３】
以上により、電動ピペット１００内のモータ６やこれらを制御する電気ボード１０等、衝撃により破損しやすいユニット類も保護されるため、ひいては機器の吐出性能の維持も確保でき、機器としての信頼性も向上されている。
【００５４】
また、リリーススイッチ１２とフィンガーレスト１６には、前面ラインＬＦ及び後面ラインＬＢの頂部１２ｔ，１６ｔ加え、ピペッターの指が当接するリリーススイッチ上面１２ｕやフィンガーレスト下面１６ｄにも衝撃吸収材２０５，２０６を配置したことで、指の滑り止め効果及びフィット感による操作性が向上されている。
【００５５】
なお、本実施例では、落下予測ラインとなる、上面ラインＬＵ，前面ラインＬＦ，後面ラインＬＢ，左側面ラインＬＬ，右側面ラインＬＲの全てに対して衝撃吸収材を設けたが、デザインされた電動ピペットの落下試験上、重要となったいずれかのラインや、いずれかの頂点を抽出して設けてもよい。
【符号の説明】
【００５６】
１        本体ケース
１ｂ      本体ケース基端部
１ｔ      本体ケース先端部
２        シリンダ
３        ピストン
４        液体吸入吐出機構
８        チップ
９        表示・操作部
１２      リリーススイッチ
１２ｔ    頂点であるリリーススイッチ頂部
１２ｕ    リリーススイッチ上面
１４      操作スイッチ
１５      ハンドグリップ部
１５ｄ    ハンドグリップ下端部
１５ｄｆ，１５ｄｌ，１５ｄｒ  頂点
１６      フィンガーレスト
１６ｄ    フィンガーレスト下面
１６ｔ    頂点であるフィンガーレスト頂部
１７Ｌ，１７Ｒ  チャージポイント
１００Ｆ  ピペット前面
１００Ｂ  ピペット後面
１００Ｌ  ピペット左側面
１００Ｒ  ピペット右側面
１００Ｕ  ピペット上面
１Ｕｌ，１Ｕｒ，１Ｕｆ，１Ｕｂ  頂点
２０１，２０２，２０３，２０４，２０５，２０６  衝撃吸収材
ＬＦ  前面ライン
ＬＢ  後面ライン
ＬＬ  左側面ライン
ＬＲ  右側面ライン
ＬＵ  上面ライン
【図１】
0005791852.tif 000002
【図２】
0005791852.tif 000003
【図３】
0005791852.tif 000004
【図４】
0005791852.tif 000005